Podtech/llm-jp-corpus-v4-ja_patent huggingface dataset:
(57)【要約】      （修正有）【課題】光でより微細パターンを露光する時、焦点深度が浅くなってくるので、従来からホトレジスト上に、焦点位置を深さ方向に移動しながら多重露光する方法があった。しかしホトレジスト側を上下に移動し露光する方法では液浸露光時、露光光学系に振動を伝えやすかった。又露光効率の低下すなわちスループットの低下につながった。【解決手段】従来技術である焦点位置を深さ方向に移動さすために、レチクルを振動させ、第１露光光学系面との間に、第１露光光学系面を節となる定常波を発生させ、第1露光光学系面には音圧が負荷されず、レチクルの振動が露光光学系に伝わらない様にした。【選択図】図１
2011009678.tif 000002
【特許請求の範囲】
【請求項１】
レチクルを振動さす機構を有し、レチクルと露光光学系面との間で、露光光学系面が節又は節の近傍に位置する定常波を発生さす機構を有する露光装置。
【発明の詳細な説明】
【技術分野】
【０００１】  本発明は、集積回路を作製する露光装置、その中でも特に液浸露光装置の焦点深度に関する。
【背景技術】
【０００２】  従来の露光装置において、焦点深度を深くするために、ホトレジストを上下に移動する機構を有する露光装置があった。
【発明の概要】
【発明が解決しようとする課題】
【０００３】  光でホトレジスト上に線幅を細く描画するためには、どうしても焦点深度が浅くなる。そのためホトレジストを上下に移動し、複数回露光する露光装置があった。しかし、露光光学系に振動が伝わり、描画解像度の低下があった。特に最も細く描画する液浸露光で一番振動が伝わりやすかった。【０００４】  本発明は、焦点深度が深い露光装置を提供しようとするものである。
【課題を解決するための手段】
【０００５】  そして本発明装置は、上記目的を達成するために、レチクルを振動さし、第１露光光学系面が節、レチクル面が腹となる定常波が発生するようレチクルの振動数を制御している。
【発明の効果】
【０００６】  本発明露光装置は、上記の様な形態をとっているので、振動しているレチクルと第１露光光学系面とが空気と接して、その間にレチクル面が腹、第１露光光学系面が節となる定常波が発生しているので、第１露光光学系面には音圧が負荷されていない。【０００７】  したがって、露光光学系には振動が伝わらないので、ホトレジスト表面の光結像ブレが発生しない。【０００８】  又本発明露光装置は、ホトレジスト側は焦点合わせや末露光面の露光のための移動に専念し、焦点位置の移動は、レチクル側で行う分業をしているので、露光のスピードアップ、すなわち生産スループットの向上に貢献している。
【図面の簡単な説明】
【０００９】
【図１】  本発明露光装置の光源、レチクル、レチクル振動方向、第１露光光学系面の位置関係説明図
【発明を実施するための形態】
【００１０】  以下本発明露光装置の実施例を図１に其づいて説明する。
【実施例】
【００１１】  図１の実施例で、光源１からの光２はレチクル３を透過し、第１露光光学系面４に入射する。この時レチクル３は、振動方向５方向に振動している。【００１２】  そして、レチクル３の振動数を制御し、レチクル３と第１露光光学系面４の間に、第１露光光学系面４が節、レチクル３の露光光学系側が腹となる定常波を発生さしている。【００１３】  この時レチクル３の露光光学面側が、定常波の腹より少しづれている実施例がある。【００１４】  焦点合わせは、レチクル３の振動中心とホトレジスト表面とで行なっているので、レチクル３の振動に影響されずに独自に実施できている。【００１５】  焦点合わせは、ホトレジスト側でなくレチクル３の振動中心を移動さす実施例がある。
【産業上の利用可能性】
【００１６】  本発明は、レチクル（ホトマスク）を使用するどんな露光装置にも使用できるが、特にＡｒＦエキシマレーザー光源による液浸露光装置又将来のＦ２エキシマレーザー光源による露光装置にて、一番の効果を発揮する。
【符号の説明】
【００１７】  １  光源
２  照射光
３  レチクル
４  第１露光光学系面
５  レチクルの振動方向
【図１】
2011009678.tif 000003
(57)【要約】      （修正有）【課題】天候に左右されず、気象条件に対応して、太陽電池パネルの発電能力を高める。【解決手段】ユニット型架台１に、支柱Ａ（２）、支柱Ｂ（３）、支柱Ｃ（４）を設ける。ユニット型架台１の支柱受台５に、支柱ポール６を設ける。支柱Ａ（２）に太陽電池パネルＡ（７）、支柱Ｂ（３）に太陽電池パネルＢ（８）、支柱Ｃ（４）に太陽電池パネルＣ（９）を取り付ける。支柱受台５に設けた支柱ポール６に、太陽電池パネルＤ（１０）、太陽電池パネルＥ（１１）、太陽電池パネルＦ（１２）を取り付ける。各太陽電池パネルは東向き、又は西向きに設定して、固定する。ユニット型架台１の下に反射シート１３を設ける。次に日光浴構造のサンルーム建物１４を設ける。【選択図】図１
2011009676.tif 000002
【特許請求の範囲】
イ）ユニット型架台（１）に、支柱Ａ（２）、支柱Ｂ（３）、支柱Ｃ（４）を設ける。
ロ）ユニット型架台（１）の支柱受台（５）に、支柱ポール（６）を設ける。
ハ）支柱Ａ（２）に太陽電池パネルＡ（７）、支柱Ｂ（３）に太陽電池パネルＢ（８）、支柱Ｃ（４）に太陽電池パネルＣ（９）を取り付ける。
ニ）支柱受台（５）に設けた支柱ポール（６）に、太陽電池パネルＤ（１０）、太陽電池パネルＥ（１１）、太陽電池パネルＦ（１２）を取り付ける。
ホ）各太陽電池パネルは東向き、又は西向きに設定して、固定する。
ヘ）ユニット型架台（１）の下に反射シート（１３）を設ける。
ト）次に日光浴構造のサンルーム建物（１４）を設ける。
以上のごとく構成された、サンルーム建物を用いた屋内仕様の多段式太陽電池パネルのユニット型設置工法に関するものである。
【発明の詳細な説明】
【技術分野】
【０００１】本発明は、屋内型の太陽電池パネルの設置工法に関するものであり、日光浴構造のサンルーム建物を用いた特徴を持ち、全天候に適応して、太陽電池パネル発電を可能にしたものである。
【背景技術】
【０００２】従来より、太陽電池パネルの設置は、屋外が主流であり、天候に左右されることが多く、気候条件の厳しい地域の普及が悪かった。
【発明の開示】
【発明が解決しようとする課題】
【０００３】天候に左右されず、気象障害に対応して、太陽電池パネルの発電能力を高めることを課題とする。
【課題を解決するための手段】
【０００４】この課題を解決するために、日光浴構造のサンルーム建物を用いて、室内にて太陽電池パネル発電を計り、更に多段式にて、太陽電池パネルの設置面積を拡大して、発電能力を高めることができる
【発明の効果】
【０００５】この発明の効果は、全天候型の太陽電池パネル発電を実現させるものであり、天候条件や気象障害の為、適用できなかった地域、場所への普及を拡大するものである。
【発明を実施する為の最良の形態】
【０００６】この発明は、サンルーム建物の室内を活用して、多段式による太陽電池パネル発電を行なう為、太陽光の透過性の条件を持つ、ガラス張り、もしくはフッ素系フィルム張り、アクリル系プラスチック等の透明板、透明フィルムの使用が必要である。
又、地表、床に反射シートを用いることで、太陽光の反射を活用し、太陽電池パネルの背面を反射加工することで、再反射により、発電の利用が可能である。
【産業上の利用可能性】
【０００７】本発明に係る、全天候型多段式太陽電池パネルのユニット型設置工法は、日本全国に、太陽電池パネル発電の普及効果が高く、産業上の利用可能を有する。
【図面の簡単な説明】
【０００８】
【図１】本発明の説明図である。
【図２】本発明の別の説明図である。
【図３】本発明の一部の説明図である。
【符号の説明】（１）ユニット型架台  （２）支柱Ａ  （３）支柱Ｂ
（４）支柱Ｃ  （５）支柱受台  （６）支柱ポール
（７）太陽電池パネルＡ  （８）太陽電池パネルＢ  （９）太陽電池パネルＣ
（１０）太陽電池パネルＤ  （１１）太陽電池パネルＥ
（１２）太陽電池パネルＦ  （１３）反射シート  （１４）サンルーム建物
【図１】
2011009676.tif 000003
【図２】
2011009676.tif 000004
【図３】
2011009676.tif 000005
(57)【要約】      （修正有）【課題】多段式の太陽電池パネルの発電効率を向上する。【解決手段】支柱Ａ（１）に回転装置付取付金具Ａ（２）、回転装置付取付金具Ｂ（３）、回転装置付取付金具Ｃ（４）を設ける。支柱Ｂ（５）に回転装置付取付金具Ｄ（６）、回転装置付取付金具Ｅ（７）、回転装置付取付金具Ｆ（８）を設ける。回転装置付取付金具Ａ（２）と回転装置付取付金具Ｄ（６）に太陽電池パネルＡ（９）を設ける。次に、回転装置付取付金具Ｂ（３）と回転装置付取付金具Ｅ（７）に太陽電池パネルＢ（１０）を設ける。支柱Ａ（１）に回転装置用モーター１２を設け、回転装置付取付金具Ａ（２）、回転装置付取付金具Ｂ（３）、回転装置付取付金具Ｃ（４）にチェーン１３で連結する。回転装置用モーター１２にデータプログラム入力装置１４を取り付け、電源に接続する。【選択図】図１
2011009671.tif 000002
【特許請求の範囲】
イ）支柱Ａ（１）に回転装置付取付金具Ａ（２）、回転装置付取付金具Ｂ（３）、回転装置付取付金具Ｃ（４）を設ける。
ロ）支柱Ｂ（５）に回転装置付取付金具Ｄ（６）、回転装置付取付金具Ｅ（７）、回転装置付取付金具Ｆ（８）を設ける。
ハ）回転装置付取付金具Ａ（２）と回転装置付取付金具Ｄ（６）に太陽電池パネルＡ（９）を設ける。
次に、回転装置付取付金具Ｂ（３）と回転装置付取付金具Ｅ（７）に太陽電池パネルＢ（１０）を設ける。
更に、回転装置付取付金具Ｃ（４）と回転装置付取付金具Ｆ（８）に太陽電池パネルＣ（１１）を設ける。
ニ）支柱Ａ（１）に回転装置用モーター（１２）を設け、回転装置付取付金具Ａ（２）、回転装置付取付金具Ｂ（３）、回転装置付取付金具Ｃ（４）にチェーン（１３）で連結する。
ホ）回転装置用モーター（１２）にデータプログラム入力装置（１４）を取り付け、電源に接続する。
以上のごとく構成された、連動型採光追尾装置を用いた多段式太陽電池パネルに関するものである。
【発明の詳細な説明】
【技術分野】
【０００１】本発明は、連動型多段式太陽電池パネルの設置工法に関するものであり、支柱に太陽電池パネルを多段式に取り付けたことを特徴に持ち、発電効率を高めるため、採光追尾装置を取り付け、気象データに基づき、日照条件の年間データプログラムを入力して、日照データに合わせて、太陽電池パネルの方向を連動型の回転駆動により、可能にしたものである。
【背景技術】
【０００２】従来、太陽電池パネル発電は、建物の屋根に固定設置が主流であり、太陽電池パネルを駆動させる採光追尾装置は、多段式には少なかった。
【発明の開示】
【発明が解決しようとする課題】
【０００３】自然エネルギーを活用する太陽電池パネル発電は、温暖化防止対策としても、活用して、発電効率を向上させることを課題とする。
【課題を解決するための手段】
【０００４】この課題を解決するために、請求項の発明は支柱を用いて、太陽電池パネルの多段化による、設置面積の拡大で、及び、発電能力の向上を計り、更に採光追尾装置を取り付けることで、発電効率の向上を可能にする。
【発明の効果】
【０００５】この発明の効果は、従来、太陽電池発電による事業用発電等の普及の拡大や無人省力化、発電システムを実現させるものである。
【発明を実施する為の最良の形態】
【０００６】この発明は、多段式太陽電池パネルを東向き、又は西向きに取付を可能にして、設置地点の、地域気象環境データから計測して、採光確率をプログラムして、採光追尾装置を回転駆動させ、採光効率を高め、連動型駆動で、省エネで低コストが可能である。
又、多段式により、太陽電池パネルの設置面積の拡大が可能である
更に又、支柱は、コンクリートポールでも、鉄柱、鉄塔でも可能である。
【産業上の利用可能性】
【０００７】本発明に係る採光追尾装置を用いた多段式太陽電池パネルは、簡易で、普及も可能で、産業上の利用可能を有する。
【図面の簡単な説明】
【０００８】
【図１】本発明の説明図である。
【図２】本発明の採光追尾装置の回転駆動を示す説明図である。
【符号の説明】（１）支柱Ａ  （２）回転装置付取付金具Ａ  （３）回転装置付取付金具Ｂ
（４）回転装置付取付金具Ｃ  （５）支柱Ｂ  （６）回転装置付取付金具Ｄ
（７）回転装置付取付金具Ｅ  （８）回転装置付取付金具Ｆ
（９）太陽電池パネルＡ  （１０）太陽電池パネルＢ  （１１）太陽電池パネルＣ
（１２）回転設置用モーター  （１３）チェーン
（１４）データプログラム入力装置
【図１】
2011009671.tif 000003
【図２】
2011009671.tif 000004
(57)【要約】      （修正有）【課題】地球温暖化対策として、電気を必要とするカンバンの支柱に多段式太陽電池パネルを設置する方法を提供する。【解決手段】支柱１に取付金具Ａ（２）、取付金具Ｂ（３）、取付金具Ｃ（４）を設ける。取付金具Ａ（２）に太陽電池パネルＡ（５）、取付金具Ｂ（３）に太陽電池パネルＢ（６）、取付金具Ｃ（４）に太陽電池パネルＣ（７）を取り付ける。支柱１にカンバン８を設ける。太陽電池パネルＡ（５）、太陽電池パネルＢ（６）、太陽電池パネルＣ（７）は、東向き、又は西向きに設定して、支柱１に固定する。【選択図】図１
2011009673.tif 000002
【特許請求の範囲】
イ）支柱（１）に取付金具Ａ（２）、取付金具Ｂ（３）、取付金具Ｃ（４）を設ける。
ロ）取付金具Ａ（２）に太陽電池パネルＡ（５）、取付金具Ｂ（３）に太陽電池パネルＢ（６）、取付金具Ｃ（４）に太陽電池パネルＣ（７）を取り付ける。
ハ）支柱（１）にカンバン（８）を設ける。
ニ）太陽電池パネルＡ（５）、太陽電池パネルＢ（６）、太陽電池パネルＣ（７）は、東向き、又は西向きに設定して、支柱（１）に固定する。
以上のごとく構成された、カンバン支柱を用いた多段式太陽電池パネル設置工法に関するものである。
【発明の詳細な説明】
【技術分野】
【０００１】本発明は、多段式太陽電池パネルの設置工法に関するものであり、カンバンの支柱に太陽電池パネルを取り付けたことに特徴を持ち、カンバンに必要な電力の発電を可能にしたものである。
【背景技術】
【０００２】従来のカンバンに必要な電力は、外部入力によって賄われ、温室効果ガス対策、ＣＯ２削減等に適応されていない。
【発明の開示】
【発明が解決しようとする課題】
【０００３】電気を必要とするカンバンの設置に自然エネルギーを活用した自家用発電を課題とする。
【課題を解決するための手段】
【０００４】この課題を解決するため、請求項の発明は、カンバンの支柱に太陽電池パネルをを取り付ける共有構造である。更に太陽電池パネルを多段式にすることで、発電効率を高め、発電する電力の活用を可能にすることができる。
【発明の効果】
【０００５】この発明の効果は、カンバンの支柱を活用して、自家発電を実現させるものである。
又、電光掲示の場合等は、災害時に必要な、独立系自家用発電で、緊急連絡の案内表示が可能である。
【発明を実施する為の最良の形態】
【０００６】この発明は、多段式太陽光発電パネルを東向き、又は西向きに設定が可能であり、積雪対策の融雪ヒーターの取り付け、夜間対策の充電システムも可能である。
更に、太陽電池パネルを何枚でも、上下、左右に取付が可能であり、支柱が単独でも、複数を連結、接続しても可能であり、太陽電池パネルは追加取付可能である。
更に又、電光掲示板、電照カンバン、ネオンサイン、地上デジタルテレビ等の街頭表示板にも可能であり、支柱は、コンクリートポールでも、鉄柱、鉄塔でも可能である。
【産業上の利用可能性】
【０００７】本発明に係るカンバン支柱を用いる多段式太陽電池パネルの設置工法は、簡易で、普及も可能で、産業上の利用可能を有する。
【図面の簡単な説明】
【０００８】
【図１】本発明の説明図である。
【図２】本発明の他の実施例を示す説明図である。
【符号の説明】（１）支柱  （２）取付金具Ａ  （３）取付金具Ｂ
（４）取付金具Ｃ  （５）太陽電池パネルＡ  （６）太陽電池パネルＢ
（７）太陽電池パネルＣ  （８）カンバン
【図１】
2011009673.tif 000003
【図２】
2011009673.tif 000004
(57)【要約】      （修正有）【課題】太陽電池パネルの高所設置の強風による風圧に対応する補強技術を提供する。【解決手段】支柱ポールＡ（１）と支柱ポールＢ（２）に取付金具Ａ（３）、取付金具Ｂ（４）、取付金具Ｃ（５）を設ける。取付金具Ａ（３）に補強用受台Ａ（６）、取付金具Ｂ（４）に補強用受台Ｂ（７）、取付金具Ｃ（５）に補強用受台Ｃ（８）を設ける。補強用受台Ａ（６）に太陽電池パネルＡ（９）、補強用受台Ｂ（７）に太陽電池パネルＢ（１０）、補強用受台Ｃ（８）に太陽電池パネルＣ（１１）を取り付ける。各太陽電池パネルは東向き、又は西向きに設定して、固定する。【選択図】図２
2011009675.tif 000002
【特許請求の範囲】
イ）支柱ポールＡ（１）と支柱ポールＢ（２）に取付金具Ａ（３）、取付金具Ｂ（４）、取付金具Ｃ（５）を設ける。
ロ）取付金具Ａ（３）に補強用受台Ａ（６）、取付金具Ｂ（４）に補強用受台Ｂ（７）、取付金具Ｃ（５）に補強用受台Ｃ（８）を設ける。
ハ）補強用受台Ａ（６）に太陽電池パネルＡ（９）、補強用受台Ｂ（７）に太陽電池パネルＢ（１０）、補強用受台Ｃ（８）に太陽電池パネルＣ（１１）を取り付ける。
ニ）各太陽電池パネルは東向き、又は西向きに設定して、固定する。
以上のごとく構成された、補強用受台を用いた多段式太陽電池パネルのユニット型設置工法に関するものである。
【発明の詳細な説明】
【技術分野】
【０００１】本発明は、太陽電池パネルの設置工法に関するものであり、風圧に対応した補強用受台を取り付けたことに特徴に持ち、強風地域の太陽電池パネル設置を可能にしたものである。
【背景技術】
【０００２】従来より、高所設置の太陽電池パネルは、風圧による破損被害を予想して、補強する必要がある。
【発明の開示】
【発明が解決しようとする課題】
【０００３】太陽電池パネルの高所設置は、強風による風圧に対応する補強技術を課題とする。
【課題を解決するための手段】
【０００４】この課題を解決するために、請求項の発明は、補強用受台を用いることで、支柱の設置を計り、太陽電池パネルを固定設置して補強を計り、風圧対策を行うことができる。
【発明の効果】
【０００５】この発明の効果は、自家用太陽電池パネル発電を強風地域や、ビルの屋上等の高所に、普及の拡大を実現させるものである。
【発明を実施する為の最良の形態】
【０００６】この発明は、多段式の太陽電池パネルの高所設置を活用して、太陽電池パネルの設置面積の拡大が可能である
又、太陽電池パネルは、何枚でも、上下、左右、支柱ポールに取付可能であり、支柱ポールを何本も、連結、接続しても可能であり、太陽電池パネルの追加取付は可能である。
更に、融雪対策として、太陽電池パネルに融雪ヒーターの取付可能であり、強風対策として、支柱を追加した、補助支柱の取付も可能である。
更に又、支柱、支柱ポールは、コンクリートポールでも、鉄柱、鉄塔でも可能である。
【産業上の利用可能性】
【０００７】本発明に係る、補強用受台を用いた多段式太陽電池パネルのユニット型設置工法は、高所空間の利用等、普及拡大の可能性も高く、産業上の利用可能を有する。
【図面の簡単な説明】
【０００８】
【図１】本発明の説明図である。
【図２】本発明の側面図の一部である。
【図３】本発明の他の実施例の説明図である。
【符号の説明】（１）支柱ポールＡ  （２）支柱ポールＢ  （３）取付金具Ａ
（４）取付金具Ｂ  （５）取付金具Ｃ  （６）補強用受台Ａ
（７）補強用受台Ｂ  （８）補強用受台Ｃ  （９）太陽電池パネルＡ
（１０）太陽電池パネルＢ  （１１）太陽電池パネルＣ
【図１】
2011009675.tif 000003
【図２】
2011009675.tif 000004
【図３】
2011009675.tif 000005
(57)【要約】      （修正有）【課題】地震災害等による停電事故の際、夜間、避難する人の誘導の為、自家発電や充電による、照明や無線による案内放送の必要性に対処した多段式太陽パネルの設置方法を提供する。【解決手段】夜間照明支柱１に取付金具Ａ２、取付金具Ｂ３、取付金具Ｃ４を設ける。取付金具Ａ２に太陽電池パネルＡ５、取付金具Ｂ３に太陽電池パネルＢ６、取付金具Ｃ４に太陽電池パネルＣ７を取り付ける。夜間照明支柱１の先に取付架台８を設け、夜間照明灯９と無線付拡声器１０を取り付ける。夜間照明支柱１の下部に、充電装置１１を設ける。【選択図】図１
2011009666.tif 000002
【特許請求の範囲】
【請求項１】
イ）夜間照明支柱（１）に取付金具Ａ（２）、取付金具Ｂ（３）、取付金具Ｃ（４）を設ける。ロ）取付金具Ａ（２）に太陽電池パネルＡ（５）、取付金具Ｂ（３）に太陽電池パネルＢ（６）、取付金具Ｃ（４）に太陽電池パネルＣ（７）を取り付ける。ハ）夜間照明支柱（１）の先に取付架台（８）を設け、夜間照明灯（９）と無線付拡声器（１０）を取り付ける。ニ）夜間照明支柱（１）の下部に、充電装置（１１）を設ける。以上のごとく構成された、夜間照明支柱を用いたことを特徴とする請求項記載の多段式太陽パネル設置工法に関するものである。
【発明の詳細な説明】
【技術分野】
【０００１】本発明は、多段式太陽電池パネルの設置工法に関するものであり、夜間照明支柱に太陽電池パネルを多段式に取り付けたことに特徴として、太陽電池パネル発電による充電装置で夜間の照明と無線による放送を可能にしたものである。
【背景技術】
【０００２】従来の夜間照明は、夜間の人間社会の安心と安全と、人間の誘導等の指標であるが、電線により外部配電されている為、地震、災害による停電の時は使用できない。
【発明の開示】
【発明が解決しようとする課題】
【０００３】人間社会の夜間の安心と安全対策と、夜間等に発生した地震、災害等で、緊急避難する為の照明や、誘導案内の放送が行われることを、課題とする。
【課題を解決するための手段】
【０００４】以上の課題を解決するために、請求項の発明は夜間照明支柱を共用して、多段式太陽電池パネルの設置による自家発電を計り、更に充電装置で充電して、夜間照明や無線による案内放送を可能にする。又、太陽電池パネルを多段式に取り付けることにより、発電面積を拡大し、発電能力を向上できる。
【発明の効果】
【０００５】この発明の効果は、夜間照明支柱に取り付ける多段式太陽電池パネルの設置により、省スペース、コンパクト設計が可能となり、自家発電による、夜間照明と、無線付拡声器の使用を実現させるものである。
【発明を実施する為の最良の形態】
【０００６】この発明は、太陽電池パネル発電の多段式最適条件、東向き、又は西向きの設定を可能として、発電効率を高める。又、夜間照明支柱を共有することで、設置スペースを有効活用して、多段式にして、太陽電池パネルの設置面積を拡大し、発電能力を高める。更に、無線装置の受信及び発信による、案内放送も緊急連絡も可能であり、積雪対策の融雪ヒーターの加工も、充電システムも活用出来る。更に又、夜間照明支柱は、コンクリートポールでも、鉄柱、鉄塔でも可能であり、太陽電池パネルの取付も、上下、左右、何枚でも可能であり、支柱が単独でも、複数を連結、接続しても可能であり、太陽電池パネルを追加で取付けることが可能である。
【産業上の利用可能性】
【０００７】本発明に係る夜間照明支柱を用いた多段式太陽電池パネルの設置工法は、簡易で、普及も可能で、産業上の利用可能を有する。
【図面の簡単な説明】
【０００８】
【図１】本発明の説明図である。
【図２】本発明の他の実施例を示す説明図である。
【図３】本発明の他の実施例を示す説明図である。
【符号の説明】（１）夜間照明支柱  （２）取付金具Ａ  （３）取付金具Ｂ（４）取付金具Ｃ  （５）太陽電池パネルＡ  （６）太陽電池パネルＢ（７）太陽電池パネルＣ  （８）取付架台  （９）夜間照明灯（１０）無線付拡声器  （１１）充電装置
【図１】
2011009666.tif 000003
【図２】
2011009666.tif 000004
【図３】
2011009666.tif 000005
(57)【要約】      （修正有）【課題】太陽電池パネルの支柱を用いた多段式の高所設置方法を提供する。【解決手段】支柱１に取付装置Ａ（２）、取付装置Ｂ（３）、取付装置Ｃ（４）を設ける。取付装置Ａ（２）に底板Ａ（５）付太陽電池パネルＡ（６）を取り付ける。取付装置Ｂ（３）に底板Ｂ（７）付太陽電池パネルＢ（８）を取り付ける。取付装置Ｃ（４）に底板Ｃ（９）付太陽電池パネルＣ（１０）を取り付ける。【選択図】図１
2011009668.tif 000002
【特許請求の範囲】
【請求項１】
イ）支柱（１）に取付装置Ａ（２）、取付装置Ｂ（３）、取付装置Ｃ（４）を設ける。ロ）取付装置Ａ（２）に底板Ａ（５）付太陽電池パネルＡ（６）を取り付ける。ハ）取付装置Ｂ（３）に底板Ｂ（７）付太陽電池パネルＢ（８）を取り付ける。ニ）取付装置Ｃ（４）に底板Ｃ（９）付太陽電池パネルＣ（１０）を取り付ける。以上のごとく構成された、支柱を用いた多段式太陽電池パネル設置に関するものである。
【発明の詳細な説明】
【技術分野】
【０００１】本発明は、多段式太陽電池パネルの設置工法に関するものであり、土地の有効活用の特徴を持ち、高所空間を活用した多段式により、太陽電池パネルの設置面積の拡大と、太陽電池パネルの最適採光、東向き、又は西向きの設定で、発電能力と発電効率の向上を可能にしたものである。
【背景技術】
【０００２】従来の太陽電池パネルの設置条件は、建物の屋上、又は平坦な広い設置面積を必要とする為、土地の確保が、困難である。
【発明の開示】
【発明が解決しようとする課題】
【０００３】太陽電池パネルの設置は、広い土地を確保することが条件になる為、狭い土地や未整備した土地、荒地等、デッドスペースと言われる用途の少ない空地を、活用することを課題とする。
【課題を解決するための手段】
【０００４】この課題を解決するために、請求項の発明は支柱を用いることで、設置する土地面積の有効活用と、設置する土地条件の拡大を計り、更に高所活用する、多段式により、太陽電池パネルの設置面積の拡大と、最適採光、東向き、又は西向きの設定ができる。
【発明の効果】
【０００５】この発明の効果は、デッドスペース等の空地や高所空間を活用して、効率の良い太陽光発電を実現させるものである。
【発明を実施する為の最良の形態】
【０００６】この発明の効果は、多段式太陽電池パネルの方向を東向き、又は西向きに設定が可能であり、支柱に合わせて、太陽電池パネルを何枚でも、上下、左右に取付が可能である。又、支柱が単独でも、複数を連結、接続しても可能であり、太陽電池パネルは追加取付可能である。更に、支柱は、コンクリートポールでも、鉄柱、鉄塔でも可能である。
【産業上の利用可能性】
【０００７】本発明に係る支柱を用いる多段式太陽電池パネルの設置技術は、簡易で、普及も可能で、産業上の利用可能を有する。
【図面の簡単な説明】
【０００８】
【図１】本発明の説明図である。
【図２】本発明の他の実施例を示す説明図である。
【図３】本発明の他の実施例を示す説明図である。
【図４】本発明の他の実施例を示す説明図である。
【図５】本発明の他の実施例を示す説明図である。
【図６】本発明の他の実施例を示す説明図である。
【図７】本発明の他の実施例を示す説明図である。
【図８】本発明の他の実施例を示す説明図である。
【図９】本発明の他の実施例を示す説明図である。
【符号の説明】（１）支柱  （２）取付装置Ａ  （３）取付装置Ｂ（４）取付装置Ｃ  （５）底板Ａ  （６）太陽電池パネルＡ（７）底板Ｂ  （８）太陽電池パネルＢ  （９）底板Ｃ  （１０）太陽電池パネルＣ
【図１】
2011009668.tif 000003
【図２】
2011009668.tif 000004
【図３】
2011009668.tif 000005
【図４】
2011009668.tif 000006
【図５】
2011009668.tif 000007
【図６】
2011009668.tif 000008
【図７】
2011009668.tif 000009
【図８】
2011009668.tif 000010
【図９】
2011009668.tif 000011
(57)【要約】      （修正有）【課題】太陽光の採光条件によって発電効率が左右されない多段式太陽電池パネルの設置工法を提供する。【解決手段】支柱Ａ（１）に取付金具Ａ（２）、取付金具Ｂ（３）、取付金具Ｃ（４）を設ける。支柱Ｂ（５）に取付金具Ｄ（６）、取付金具Ｅ（７）、取付金具Ｆ（８）を設ける。取付金具Ａ（２）と取付金具Ｄ（６）に太陽電池パネルＡ（９）、太陽電池パネルＢ（１０）、太陽電池パネルＣ（１１）を設ける。取付金具Ｂ（３）と取付金具Ｅ（７）に太陽電池パネルＤ（１２）、太陽電池パネルＥ（１３）、太陽電池パネルＦ（１４）を設ける。取付金具Ｃ（４）と取付金具Ｆ（８）に太陽電池パネルＧ（１５）、太陽電池パネルＨ（１６）、太陽電池パネルＩ（１７）を設ける。各太陽電池パネルの背面に反射板１８を設ける。支柱Ａ（１）と支柱Ｂ（５）の地表に反射シート１９を設ける。【選択図】図１
2011009667.tif 000002
【特許請求の範囲】
イ）支柱Ａ（１）に取付金具Ａ（２）、取付金具Ｂ（３）、取付金具Ｃ（４）を設ける。
ロ）支柱Ｂ（５）に取付金具Ｄ（６）、取付金具Ｅ（７）、取付金具Ｆ（８）を設ける。
ハ）取付金具Ａ（２）と取付金具Ｄ（６）に太陽電池パネルＡ（９）、太陽電池パネルＢ（１０）、太陽電池パネルＣ（１１）を設ける。
ニ）取付金具Ｂ（３）と取付金具Ｅ（７）に太陽電池パネルＤ（１２）、太陽電池パネルＥ（１３）、太陽電池パネルＦ（１４）を設ける。
ホ）取付金具Ｃ（４）と取付金具Ｆ（８）に太陽電池パネルＧ（１５）、太陽電池パネルＨ（１６）、太陽電池パネルＩ（１７）を設ける。
ヘ）各太陽電池パネルの背面に反射板（１８）を設ける。
ト）支柱Ａ（１）と支柱Ｂ（５）の地表に反射シート（１９）を設ける。
以上のごとく構成された、背面反射型、多段式太陽電池パネル設置に関するものである。
【発明の詳細な説明】
【技術分野】
【０００１】本発明は、多段式太陽電池パネルの設置工法に関するものであり、多段式太陽電池パネルの方向を、東向き、又は西向きに固定した際、太陽の移動によって、上段の太陽電池パネルの影になり、下段の太陽電池パネルが採光出来ない場合も、地表の反射シートと上段の太陽電池パネルの背面の再反射によって、下段の太陽電池パネルが採光し、発電に利用することを可能にしたものである。
【背景技術】
【０００２】多段式太陽電池パネルは、影の発生によって、発電効率が悪くなる時間がある。
【発明の開示】
【発明が解決しようとする課題】
【０００３】多段式太陽電池パネルの発電効率は、太陽光の採光条件によって左右される場合があり、多段式太陽電池パネルの設置条件を、課題とする。
【課題を解決するための手段】
【０００４】この課題を解決するために、請求項の発明は支柱を用いることで、高所に太陽電池パネルを多段式に設置し、最適条件の東向き、又は西向きの設定を計り、更に、太陽の移動による、採光出来ない場合も、地表の反射シートと太陽電池パネルの背面反射によって、発電に利用することができる。
【発明の効果】
【０００５】この発明の効果は、太陽電池パネルの設置面積の拡大と、採光効率の向上により、事業所発電等の普及の拡大を実現させるものである。
【発明を実施する為の最良の形態】
【０００６】この発明は、太陽電池パネルの取付が、上下、左右、何枚でも可能であり、支柱が単独でも、複数を連結、接続しても可能であり、太陽電池パネルは追加取付可能である。
又、支柱は、コンクリートポールでも、鉄柱、鉄塔でも可能である。
更に積雪対策の融雪ヒーターの加工も可能であり、充電システムも活用できる。
更に又、反射板はプラスチックでも、金属でも、ガラスでも、メッキ加工でも可能であり、反射シートはアルミ加工シートでも、反射効率の高いシートや板であれば、素材は問わず可能である。
【産業上の利用可能性】
【０００７】本発明に係る背面反射型、多段式太陽電池パネルの設置工法は、簡易で、普及も可能で、産業上の利用可能を有する。
【図面の簡単な説明】
【０００８】
【図１】本発明の説明図である。
【図２】本発明の他の実施例を示す説明図である。
【符号の説明】（１）支柱Ａ  （２）取付金具Ａ  （３）取付金具Ｂ
（４）取付金具Ｃ  （５）支柱Ｂ  （６）取付金具Ｄ
（７）取付金具Ｅ  （８）取付金具Ｆ  （９）太陽電池パネルＡ
（１０）太陽電池パネルＢ  （１１）太陽電池パネルＣ  （１２）太陽電池パネルＤ
（１３）太陽電池パネルＥ  （１４）太陽電池パネルＦ  （１５）太陽電池パネルＧ
（１６）太陽電池パネルＨ  （１７）太陽電池パネルＩ  （１８）反射板
（１９）反射シート
【図１】
2011009667.tif 000003
【図２】
2011009667.tif 000004
(57)【要約】【課題】太陽電池パネルの設置は、太陽光の直射が最適条件である為、降雪地帯の積雪対策の、課題が発生する。その為、支柱を用いることで、太陽電池パネルを東向き、又は西向き、斜面の傾斜を設置可能にし、低温型融雪ヒーターで、太陽電池パネル上に付着した雪を融雪し、流失することで、解決する。【解決手段】イ）支柱（１）に取付金具Ａ（２）、取付金具Ｂ（３）、取付金具Ｃ（４）を設ける。ロ）取付金具Ａ（２）に融雪ヒーター付底板Ａ（５）と太陽電池パネルＡ（６）を取り付ける。ハ）取付金具Ｂ（３）に融雪ヒーター付底板Ｂ（７）と太陽電池パネルＢ（８）を取り付ける。ニ）取付金具Ｃ（４）に融雪ヒーター付底板Ｃ（９）と太陽電池パネルＣ（１０）を取り付ける。ホ）支柱（１）に着雪センサー（１１）を取り付け、融雪ヒーター（１２）と結線する。以上のことを特徴とする。【選択図】図１、図２
2011009669.tif 000002
【特許請求の範囲】
イ）支柱（１）に取付金具Ａ（２）、取付金具Ｂ（３）、取付金具Ｃ（４）を設ける。
ロ）取付金具Ａ（２）に融雪ヒーター付底板Ａ（５）と太陽電池パネルＡ（６）を取り付ける。
ハ）取付金具Ｂ（３）に融雪ヒーター付底板Ｂ（７）と太陽電池パネルＢ（８）を取り付ける。
ニ）取付金具Ｃ（４）に融雪ヒーター付底板Ｃ（９）と太陽電池パネルＣ（１０）を取り付ける。
ホ）支柱（１）に着雪センサー（１１）を取り付け、融雪ヒーター（１２）と結線する。
以上のごとく構成された、融雪ヒーターを用いた多段式太陽電池パネルの設置工法に関するものである。
【発明の詳細な説明】
【技術分野】
【０００１】本発明は、多段式太陽電池パネルの設置工法に関するものであり、降雪地域に対応した、融雪ヒーターの特徴を持ち、多段式太陽電池パネルを、東向き、又は西向き、斜面の傾斜で設定し、融雪の効率を高めることを可能にしたものである。
【背景技術】
【０００２】従来の太陽電池パネルの設置条件は、降雪地域には適さず、太陽電池パネルに付着した積雪の消失が困難である。
【発明の開示】
【発明が解決しようとする課題】
【０００３】太陽電池パネルの設置は、太陽光の直射が最適条件になる為、発電障害である太陽電池パネルに付着した雪を融雪して、除去することを課題とする。
【課題を解決するための手段】
【０００４】この課題を解決するために、請求項の発明は支柱を用いることで、多段式太陽電池パネルを東向き、又は西向き、斜面の傾斜に設定を計り、更に太陽電池パネルの底板に融雪ヒーターを取り付けることで、効率良く、融雪処理を行うことができる。
【発明の効果】
【０００５】この発明の効果は、従来、太陽電池パネル発電に適さなかった降雪地域に、効率の良い太陽光発電の普及の拡大を実現させるものである。
【発明を実施する為の最良の形態】
【０００６】この発明の効果は、多段式太陽電池パネルの方向を東向き、又は西向き、斜面の傾斜の設定が可能であり、太陽電池パネルに付着した雪を融雪しながら、流失させる構造である。
又、融雪ヒーターの温度は低温に設定し、着雪センサーが感知し、起動運転する構造である。
更に、支柱は、コンクリートポールでも、鉄柱、鉄塔でも可能である。
【産業上の利用可能性】
【０００７】本発明に係る融雪ヒーターを用いた多段式太陽電池パネル設置工法は、簡易で、普及も可能で、産業上の利用可能を有する。
【図面の簡単な説明】
【０００８】
【図１】本発明の説明図である。
【図２】本発明の他の実施例を示す説明図である。
【符号の説明】（１）支柱  （２）取付金具Ａ  （３）取付金具Ｂ
（４）取付金具Ｃ  （５）融雪ヒーター付底板Ａ  （６）太陽電池パネルＡ
（７）融雪ヒーター付底板Ｂ  （８）太陽電池パネルＢ
（９）融雪ヒーター付底板Ｃ  （１０）太陽電池パネルＣ  （１１）着雪センサー
（１２）融雪ヒーター
【図１】
2011009669.tif 000003
【図２】
2011009669.tif 000004
(57)【要約】      （修正有）【課題】多段式太陽電池パネルの設置において、風圧による破損被害の発生を防止する。【解決手段】イ）支柱１に取付金具２を設ける。ロ）取付金具２に底板３を設ける。ハ）底板３に孔４を設ける。ニ）底板３の孔４に補強ポール５を設ける。ホ）ニ）の補強ポール５を取り付けた底板３に太陽電池パネル６を取り付ける。ヘ）次に止金具７を設ける。【選択図】図１
2011009670.tif 000002
【特許請求の範囲】
イ）支柱（１）に取付金具（２）を設ける。
ロ）取付金具（２）に底板（３）を設ける。
ハ）底板（３）に孔（４）を設ける。
ニ）底板（３）の孔（４）に補強ポール（５）を設ける。
ホ）ニ）の補強ポール（５）を取り付けた底板（３）に太陽電池パネル（６）を取り付ける。
ヘ）次に止金具（７）を設ける。
以上のごとく構成された、補強ポールを用いた多段式太陽電池パネルの設置工法に関するものである。
【発明の詳細な説明】
【技術分野】
【０００１】本発明は、多段式太陽電池パネルの設置工法に関するものであり、風圧に対応した補強ポールを取り付けた特徴を持ち、強風地域の設置を可能にしたものである。
【背景技術】
【０００２】従来より、高所設置の多段式太陽電池パネルは、風圧による破損被害が発生する可能性があり、補強が必要である。
【発明の開示】
【発明が解決しようとする課題】
【０００３】多段式太陽電池パネルの設置は、強風による風圧に対応する補強技術を課題とする。
【課題を解決するための手段】
【０００４】この課題を解決するために、請求項の発明は補強ポールを用いることで、多段式の太陽電池パネルを連結して、補強を計り、風圧対策を行うことができる。
【発明の効果】
【０００５】この発明の効果は、従来、太陽電池パネル発電に適さなかった強風地域に、普及の拡大を実現させるものであり、更に風力発電と共用出来る可能性を持つものである。
【発明を実施する為の最良の形態】
【０００６】この発明の効果は、太陽電池パネルの発電効率を高めると共に、太陽電池パネル設置の耐久性を高める構造である。
その為、補強ポールは、プラスチックや金属でも可能で、腐食性の無い素材で、軽量、強度、耐久性を必要とする。
又、支柱は、コンクリートポールでも、鉄柱、鉄塔でも可能である。
更に又、補強ポールの代替えで、支柱を補助に追加して使用も可能である。
【産業上の利用可能性】
【０００７】本発明に係る補強ポールを用いた多段式太陽電池パネル設置工法は、簡易で、普及も可能で、産業上の利用可能を有する。
【図面の簡単な説明】
【０００８】
【図１】本発明の説明図である。
【図２】本発明の他の実施例を示す説明図である。
【図３】本発明の他の実施例を示す説明図である。
【図４】本発明の他の実施例を示す説明図である。
【符号の説明】（１）支柱  （２）取付金具  （３）底板
（４）孔  （５）補強ポール  （６）太陽電池パネル
（７）止金具
【図１】
2011009670.tif 000003
【図２】
2011009670.tif 000004
【図３】
2011009670.tif 000005
【図４】
2011009670.tif 000006
(57)【要約】      （修正有）【課題】制御対象機器の近くに電源装置・制御装置・受信部を簡単に設置し、制御を容易に操作できる直流照・直流モータの遠隔装置を提供する。【解決手段】交流電源より電源線１を電源装置２に接続し、電源装置２〜制御装置４は直流電源線３を接続し、制御装置４〜受信部５は受信部専用線６で接続し、制御装置４〜制御対象装置は制御機器用専用線７で接続する。送信部８で受信部５に信号を送信し、制御装置４で点・消灯及び運転・停止をする。送信部８で照度設定及び風量設定を受信部５に信号を送信し、制御装置４内のＲＯＭに外部の無電圧接点入力により最大3点書き込みをする。【選択図】図１
2011009888.tif 000002
【特許請求の範囲】
【請求項１】
制御対象機器（９）の付近に直流電源装置（２）・制御装置（４）及び受信部
（５）を設置し、送信部（８）より運転停止・点灯消灯・調光・調速が可能な
遠隔制御装置。
【請求項２】
交流〜直流電源装置（１）と制御装置（３）と受信部（５）及び制御対象機器
（９）の配線を交流電源コンセントから全て両端にコネクタ付専用電線で配線
をする遠隔制御装置。
【発明の詳細な説明】
【技術分野】
【０００１】
この発明は直流照明及び直流モータを調光・調速する直流電源部と制御装置及び
受信部と送信部ならびに両端にコネクタ付専用電線接続によるものである。
【背景技術】
【０００２】
従来、直流照明は照明制御装置・直流モータはモータ制御装置と別々の装置で
あり、双方を制御することがなかった。
制御対象機器の付近に設置できる装置がなく遠方に制御装置を設置していた。
【発明の開示】
【発明が解決しようとする課題】
【０００３】
従来は直流照明・直流モータの制御装置を別々に設計製作していた。
設置時は直流側が低電圧の為、電圧降下も著しく断面積の大きい電線を配線して
施工が困難であった。
照度・変速を調整するのに別の部屋等に制御装置を設置している場合１人で設定・調整が出来なかった。
制御装置を別設置するため、電源工事が必要であった。
【課題を解決するための手段】
【０００４】
電源装置（２）・制御装置（４）・受信部（５）・制御対象機器（９）を両端に
コネクタ付専用電線により接続し、送信部（８）で設定・調整・運転停止をする。
本発明は  上記構成により形成された直流照明及び直流モータ遠隔制御装置である。
【発明の効果】
【０００５】
両端にコネクタ付専用電線により施工が専門職に頼らずに施工がでる。
個々の最適照度・最適回転数の調整及び設定を単独で、送信部で設定出来る。
スイッチ配線をしなくても送信部で運転・停止及び消灯・点灯が容易に出来る。
万一の故障時に装置と電線間のコネクタを外して容易に交換修復できる。
【発明を実施するための最良の形態】
【０００６】
以下、本発明を実施するための最良の形態について説明する
交流電源線（１）１方にコンセントプラグ片方に電源用３Ｐコネクタ付電線
直流電源装置（２）交流電源側に３Ｐコネクタを設置・直流側に２Ｐコネクタ設置
直流電源線（３）両端に同じ２Ｐコネクタを取り付けた２ｍの電線
制御装置（４）１回路１２Ｖ１５ｗまでの制御・３回路出力が出来、７ｗ×６台まで制御が可能な出力コネクタを搭載。
受信装置（５）送信機より信号を受信する装置で露出と埋め込みの選択が可能な
メスコネクタ１個で配線が出来る。
受信部専用電線（６）２ｍの６極4ｃモジュラコネクタを両端に取り付けた電線。
制御機器専用線（７）両端に２Ｐコネクタを取り付けた５ｍの電線。
送信部（８）制御装置（４）に受信部（５）を経由して、制御コードを送信し、
運転停止・点灯消灯・設定書込・照度調整・回転数調整を行う。
制御対象機器（９）直流照明・直流モータである。            
【実施例】
【０００７】
天満屋岡山本店１階売場に温度ムラ対策に設置
【産業上の利用可能性】
【０００８】
照明制御は水産試験場の調光装置に利用可能、
モータ制御は室内温度平準化システムに利用可能
【図面の簡単な説明】
【０００９】
【図１】発明全体の機器の構成図
【図２】機器設置概要図
【図３】個別機器姿図
【符号の説明】
【００１０】
（１）交流電源線
（２）直流電源装置
（３）直流電源線
（４）制御装置
（５）受信部
（６）受信部専用線
（７）制御機器用専用線
（８）送信部
（９）制御対象機器
【図１】
2011009888.tif 000003
【図２】
2011009888.tif 000004
【図３】
2011009888.tif 000005
(57)【要約】【課題】ＣＤやＤＶＤ等のディスクを簡単に素早く出し入れ出来る、ディスクケースを提供する。【解決手段】ディスクケース１に、厚みがある奥行きのあるフタ２を設けて、ディスク３を入れて、厚みがある奥行きのあるフタを閉め、取り出す時は又フタを開けると、ディスク３が一部むき出しの状態で、取り出しやすく出る様にした。【選択図】図１
2011138591.tif 000002
【特許請求の範囲】
【請求項１】
ディスクケースのフタに厚みを持たせて、奥行きをつくり、開けるとＣＤ等のディスクが取りやすいように、一部むき出しになるディスクケース。
【発明の詳細な説明】
【発明の詳細な説明】
【技術分野】
【０００１】本発明はディスクの収納ケース、フタに厚みを持たせ、奥行きをつくり、その奥行きの中にＣＤ等のディスクの一部がおさまるようにして、フタを開けるとディスクが取りやすいように一部むき出しになる事を特徴とするディスクケースである。
【背景技術】
【０００２】従来、ＣＤ、ＤＶＤ等のディスクをしまう時は、販売していた時のパカッと開くケースをＣＤラックに入れ、ディスクを使う時は又出してパカッと開いて出し入れしていたので、手間がかかり大変不便だった。
【発明を実施するための形態】
【０００３】本発明はディスクケースのフタに厚みを持たせて奥行きをつくり、フタをあけると、ディスクが一部むき出しになる様にしたディスクを簡単に素早く出し入れ出来るようにしたディスクケースで、それを図面について説明すれば、ディスクケース１に厚みのある奥行きのあるフタ２をもうけ、使用する時は、ディスク３を入れて、厚みのある奥行きのあるフタをしめる。以上の様な構造のディスクケースである。
【発明の効果】
【０００４】このようにすれば、ＣＤ、ＤＶＤ等のディスクをディスクケースの中に入れておき、出す時はフタを開けると、フタに厚みがある為、ＣＤ等のディスクが一部むき出しになるので、取り出しやすく、ディスクの出し入れが簡単で尚且つ素早くて便利である。
【図面の簡単な説明】
【図１】使用状態を表す斜視図である。
【符号の説明】１．ディスクケース
２．厚みのある奥行きのあるフタ２
３．ディスク
【図１】
2011138591.tif 000003
(57)【要約】      （修正有）【課題】無駄なく全部のコンセントを使用出来る電源コンセントを提供する。【解決手段】電源コンセントタップの電源コンセント１〜６を可動させ、右側・左側・上側・下側に、あるいは電源コンセントタップの電源コンセントを回転させて斜めにもプラグを差し込めるよう、可動式にした事を特徴とする。尚且つ、電源コンセントは必要とあらば左右上下に可動させる事により、十分なプラグを差し込む為のスペースをより確保し易くした。【選択図】図１
2011138724.tif 000002
【特許請求の範囲】
【請求項１】
本発明は、コンセントが左右上下に移動及び、回転部は同時に左右上下に可動させる事が出来るコンセント。通常テーブルタップコンセントと言われているコンセント。
【発明の詳細な説明】
【技術分野】
【０００１】  本発明は、左右上下に移動及び回転部は同時に左右上下に可動させる事が出来る壁コンセントを含むテーブルタップコンセントに関するものである。
【背景技術】
【０００２】  従来、電源コンセントは固定であった。ただし、左回転・右回転のいずれか一方方向にしか自由ではない、しかも僅かな角度しか稼動しない、プラグのはずれ防止の為の回転コンセントはあった。
【発明の開示】
【発明が解決しようとする課題】
【０００３】  従来品は、次のような問題点があった。ＤＣアダプターの普及でプラグ幅が大きくなり、１個口以上の電源コンセントは、コンセントの間隔が狭いため、ＤＣアダプターや大きめのプラグが入れられない不便な場合が多かった。本発明は、以上のような欠点を無くす為になされたものである。
【問題を解決するための手段】
【０００４】  電源コンセントは壁コンセントを含むテーブルタップのコンセントを左右上下の他、回転部は同時に左右上下に可動をさせる事が出来る電源コンセントにする。以上の構成よりなる電源コンセント間隔を必要に応じた左右に、また上下に、あるいは回す事による角度が自由に設定出来る電源コンセントである。
【発明の効果】
【０００５】  電源コンセントが左右上下、回転部は左右上下と可動させる事が出来る事により、必要なコンセント上のコンセントとの間隔を得て、ＤＣアダプターや幅の広いプラグであっても、不便なく調整をしながら使用出来る便利さを提供出来る。また、回転をさせなくとも良い場合は、そのままプラグを差し込む事により、通常のコンセントとしても使用出来る。
【発明を実施するための最良の形態】
【０００６】  以下、本発明の実施例について説明する。
▲１▼は左に可動するコンセントである。▲２▼は下に可動するコンセントである。▲３▼はシャッタープレートにしてあり、塵やゴミがテーブルタップボディ内に入らぬようにしてある。尚このシャッターは通常シャバラと言い、そのジャバラが可動する寸法がコンセントの可動可能な寸法である。４は上に可動するコンセントである。５は右に可動するコンセントである。６は回転の他、左右上下に可動するコンセントである。
本発明は、以上のような構造で電源コンセントタップとして使用するものである。
１を左側に移動すれば、右側の２のコンセントは１との間隔が広がり、スペースを幅広く使用できる。よって、ＤＣアダプターが幅広いものであっても、楽に差し込むことが出来る。しかも、２は下にずらす事により、より幅広いスペースが保たれる。６は回転させることにより、斜めにもプラグを差し込めるので、２と４のコンセントに対し斜めにもプラグを６に差し込め回転及び左右上下に可動を同時に操作する事により、より広い幅が確保出来、使用するのに便利である。１２は可動範囲を示す溝である。
【図面の簡単な説明】
【０００７】
【図１】  本発明の斜視図である。
【図２】  アダプターをテーブルタップに差し込む図。
【図３】  プラグを差し込み下方に移動させている図。
【図４】  プラグを差し込み針に回転をさせ使用している図。
【図５】  プラグを上方向に移動させた時のボディの透視図。
【図６】  ボディの透視図
【図７】  円形である為、図上の壁コンセントの外周の円の直径を広げることにより角度及び左右の上下に可動する可動範囲が広がり、尚且任意の位置に移動設定出来る壁コンセント図。
【符号の説明】
【０００８】１，２，３，４，５，６は電源コンセントである。７，８，９，１０，１１は電源スイッチであり、７は１のスイッチ、８は２のスイッチ、９は６のスイッチ、１０は４のスイッチ、１１は５のスイッチである。
【図１】
2011138724.tif 000003
【図２】
2011138724.tif 000004
【図３】
2011138724.tif 000005
【図４】
2011138724.tif 000006
【図５】
2011138724.tif 000007
【図６】
2011138724.tif 000008
【図７】
2011138724.tif 000009
(57)【要約】【課題】  光源にＬＥＤを使用した高輝度の光源装置を得るためには、ＬＥＤの発する光をボールレンズに集める必要があり、ＬＥＤとボールレンズなどの集光レンズを密接して装着していたが、ボールレンズのチップ状ＬＥＤを覆う寸法が小さいとＬＥＤの光を全てボールレンズに集めることができず十分な高輝度が得られなかった。【解決手段】  チップ状のＬＥＤの上に、ＬＥＤの光を全て集めることができる大きさの半円状のボールレンズを密接して取り付けるようにした。【選択図】図１
2011138725.tif 000002
【特許請求の範囲】
【請求項１】
チップ状のＬＥＤの上に、ＬＥＤの光を全て集めることができる大きさの半円状のボールレンズを密接して取り付けてなる光源装置。
【発明の詳細な説明】
【技術分野】
【０００１】  本発明は、チップ状ＬＥＤと半円状ボールレンズを組み合わせた高照度の光源装置に関するものである。
【背景技術】
【０００２】  従来、光源として白熱球やハロゲン球を用いたスポットライトやダウンライト器具が使用されていたが、近年高輝度のＬＥＤが開発され、長寿命、省電力などの利点から白熱球、ハロゲン球に代わってＬＥＤが光源として採用されるようになってきた。【０００３】  このＬＥＤは、当初レンズとＬＥＤを一体型にした砲弾型のタイプが採用されていたが、光源の輝度が十分ではないためチップ状のＬＥＤと集光レンズを組み合わせた高輝度の光源装置が提供されている。
【発明の開示】
【発明が解決しようとする課題】
【０００４】  しかし、このような装置で高輝度を得るためには、ＬＥＤの発する光をボールレンズに集める必要があり、ＬＥＤとボールレンズなどの集光レンズを密接して装着していたが、ボールレンズのチップ状ＬＥＤを覆う寸法が小さいとＬＥＤの光を全てボールレンズに集めることができず十分な高輝度が得られなかった。
【課題を解決するための手段】
【０００５】  前記問題点を解決するため、本発明はチップ状のＬＥＤの上に、ＬＥＤの光を全て集めることができる大きさの半円状のボールレンズを密接して装着できるようにした。
【発明の効果】
【０００６】  本発明によれば、チップ状のＬＥＤの上に、ＬＥＤの光を全て集めることができる大きさの半円状のボールレンズを密接して装着できるようにしたため、ボールレンズを使用するよりも、ＬＥＤの発する光を漏れなくレンズを通して外部に放出し、効率よく高輝度を得ることができる。
【発明を実施するための最良の形態】
【０００７】  以下、図面に基づき本発明の実施の形態を説明する。【０００８】  図１は、本発明の実施例を示すＬＥＤ光源装置の説明図である。【０００９】  このＬＥＤ光源装置は、プリント基板１に取付けられた発光部３が内側に少し窪んでいるチップ状ＬＥＤ２の上に、半円状のボールレンズ４が置かれている。
半円状のボールレンズ４はＬＥＤ２に密接して取り付けられ、ＬＥＤ発光部３の全体が半円状ボールレンズ４に覆われているためＬＥＤ発光部３からの光は、略全て半円状のボールレンズ４に集められ矢印の方向に放出される。その結果効率よく高輝度の照度を得られる。
【図面の簡単な説明】
【００１０】
【図１】本発明の実施例を示すＬＥＤ光源装置の説明図。
【符号の説明】
【００１１】  １・・・プリント基板          ２・・・チップ状ＬＥＤ
３・・・チップ状ＬＥＤの発光部
４・・・半円状のボールレンズ
【図１】
2011138725.tif 000003